(57)【要約】 【課題】  横幅の大きい複数の物品を二段に分けて保管することを可能にするパレット支持棚を提供する。【解決手段】  平面視で矩形のパレット支持棚１が、該パレット支持棚の四隅に立設された、前側の左の支柱２、前側の右の支柱４、後側の左の支柱６、及び後側の右の支柱８からなる４本の支柱のうち、前側の左右の支柱の上部が前側梁部材１０を介して互いに接続されているとともに、後側の左右の支柱の上部が後側梁部材１２を介して互いに接続されてなり、所定の高さ位置に設けられ、前部杆体、後部杆体１０２、及び該前部杆体と該後部杆体１０２とを接続する杆体を有してなる中間回動棚１００であって、パレット支持棚１の後側の左右の支柱間に概ね水平に延びている後部杆体１０２を回動軸として、使用位置と収納位置との間で変化するように回動可能に構成された中間回動棚１００を備える。【選択図】  図１
0003218949.tif 000002
【実用新案登録請求の範囲】
【請求項１】
平面視で矩形のパレット支持棚であって、該パレット支持棚の四隅に立設された、前側の左の支柱、前側の右の支柱、後側の左の支柱、及び後側の右の支柱からなる４本の支柱のうち、前側の左右の支柱の上部が前側梁部材を介して互いに接続されているとともに、後側の左右の支柱の上部が後側梁部材を介して互いに接続されてなるパレット支持棚において、
上記後側梁部材よりも低い位置に設けられ、前部杆体、後部杆体、及び該前部杆体と該後部杆体とを接続する杆体を有してなる中間回動棚であって、該パレット支持棚の後側の左右の支柱間に概ね水平に延在する上記後部杆体を回動軸として、使用位置と収納位置との間で変化するように回動可能に構成された中間回動棚を備え、
上記中間回動棚は、上記使用位置において概ね水平に延在する一方で、上記収納位置において概ね垂直に延在することを特徴とする、中間回動棚を備えるパレット支持棚。
【請求項２】
上記中間回動棚の前部杆体の一端に該前部杆体に対して摺動可能に設けられかつ概ね上記前部杆体の長さ方向に延びている回転軸を中心として軸回転可能に構成された第１のアーム体、及び第１のアーム体の先端に取り付けられた接合筒体をさらに備え、
上記中間回動棚が概ね水平に延在するときに、上記パレット支持棚の前側の右又は左の支柱に設けられた支持筒体の上端面に、上記接合筒体の一端面が当接して支持され得るように構成されていることを特徴とする、請求項１に記載の中間回動棚を備えるパレット支持棚。
【請求項３】
上記接合筒体の一端面が上記支持筒体の上端面に当接して支持されているときに、上記接合筒体と上記支持筒体を接続するように所定のピンを通すことができるように、上記接合筒体が中空に形成されていることを特徴とする、請求項２に記載の中間回動棚を備えるパレット支持棚。
【請求項４】
上記中間回動棚の前部杆体の他端に該前部杆体に対して摺動可能に設けられかつ概ね上記前部杆体の長さ方向に延びている回転軸を中心として軸回転可能に構成された第２のアーム体、及び第２のアーム体の先端に、第２のアーム体の長さ方向と概ね直交する方向に延在する支持ロッドをさらに備え、
上記支持ロッドの先端に第３の筒体が設けられているとともに、該第３の筒体に対して挿脱可能に構成された凸状部材が上記前側梁部材に設けられていることを特徴とする、請求項２又は請求項３に記載の中間回動棚を備えるパレット支持棚。
【請求項５】
２つの上記中間回動棚が横方向に並べて設けられている、請求項１〜４のいずれかに記載の中間回動棚を備えるパレット支持棚。
【考案の詳細な説明】
【技術分野】
【０００１】
本考案は、倉庫や工場において物品を保管するために用いられるパレット支持棚に関し、詳しくは、複数の物品を二段に分けて保管することを可能にする中間回動棚を備えるパレット支持棚に関する。
【背景技術】
【０００２】
倉庫や工場においてパレット支持棚（ラック）が用いられている。例えば、倉庫で用いられるときには一時的な預かり物品を保管するためのパレット支持棚として使用され、或いは工場で用いられるときには物品を収納し保管するためのパレット支持棚として用いられている。一般に、パレット支持棚の上面（天面）には、パレットを載置することができるように補強梁部材が設けられている。
【０００３】
パレット支持棚は、多段に積み重ねることができるように構成されている場合には、ネスティングラックとも呼ばれる。
【先行技術文献】
【特許文献】
【０００４】
【特許文献１】実開平１−１１７２３６号公報
【考案の概要】
【考案が解決しようとする課題】
【０００５】
パレット支持棚に保管される物品の高さ寸法が小さい場合に、パレット支持棚の上側半分くらいの空間が使われないことがあり、パレット支持棚内のスペースが有効に活用できていなかった。そこで、本願の出願人による特許文献１に記載の中間移載棚を備えるパレット支持棚が考案された。しかし、特許文献１の中間移載棚では、横幅の大きい複数の物品を二段に分けて載せることが難しかった。
【０００６】
本考案は、横幅の大きい複数の物品を二段に分けて保管することを可能にする、中間回動棚を備えるパレット支持棚を提供することを目的とする。
【課題を解決するための手段】
【０００７】
一実施例においては、平面視で矩形のパレット支持棚であって、該パレット支持棚の四隅に立設された、前側の左の支柱、前側の右の支柱、後側の左の支柱、及び後側の右の支柱からなる４本の支柱のうち、前側の左右の支柱の上部が前側梁部材を介して互いに接続されているとともに、後側の左右の支柱の上部が後側梁部材を介して互いに接続されてなるパレット支持棚において、上記後側梁部材よりも低い位置に設けられ、前部杆体、後部杆体、及び該前部杆体と該後部杆体とを接続する杆体を有してなる中間回動棚であって、該パレット支持棚の後側の左右の支柱間に概ね水平に延在する後部杆体を回動軸として、使用位置と収納位置との間で変化するように回動可能に構成された中間回動棚を備え、中間回動棚は、使用位置において概ね水平に延在する一方で、収納位置において概ね垂直に延在することを特徴とする、中間回動棚を備えるパレット支持棚を提供する。
【０００８】
また、中間回動棚の前部杆体の一端に該前部杆体に対して摺動可能に設けられかつ概ね前部杆体の長さ方向に延びている回転軸を中心として軸回転可能に構成された第１のアーム体、及び第１のアーム体の先端に取り付けられた接合筒体をさらに備え、中間回動棚が概ね水平に延在するときに、パレット支持棚の前側の右又は左の支柱に設けられた支持筒体の上端面に、接合筒体の一端面が当接して支持され得るように構成されていることを特徴とする。
【０００９】
さらには、接合筒体の一端面が支持筒体の上端面に当接して支持されているときに、接合筒体と支持筒体を接続するように所定のピンを通すことができるように、上記接合筒体が中空に形成されていることを特徴とする。
【００１０】
また、中間回動棚の前部杆体の他端に該前部杆体に対して摺動可能に設けられかつ概ね前部杆体の長さ方向に延びている回転軸を中心として軸回転可能に構成された第２のアーム体、及び第２のアーム体の先端に、第２のアーム体の長さ方向と概ね直交する方向に延在する支持ロッドをさらに備え、支持ロッドの先端に第３の筒体が設けられているとともに、該第３の筒体に対して挿脱可能に構成された凸状部材が前側梁部材に設けられていることを特徴とする。
【００１１】
さらなる実施例においては、２つの上記中間回動棚が横方向（左右の支柱を貫く方向とほぼ平行な方向）に並べて設けられている。
【図面の簡単な説明】
【００１２】
【図１】本考案の一実施例におけるパレット支持棚を示す図。
【図２】本考案の一実施例における中間回動棚の回動する動きなどを示す図。
【図３】第１のアーム体の一端に取り付けられた接合筒体が支持筒体に固定されるまでの過程を示す図。
【図４】第２のアーム体の他端に取り付けられた支持ロッドに設けられた筒体が固定されるまでの過程を示す図。
【考案を実施するための形態】
【００１３】
本考案に係るパレット支持棚の一実施例について、添付の図面を参照しつつ説明する。
【００１４】
図１において、本考案のパレット支持棚１の外枠を構成する部分が細い二点鎖線で示されている一方で、パレット支持棚１に配設された中間回動棚１００及びこの中間回動棚１００を支持するための部材が太い実線で示されている。
【００１５】
一実施例においては、図１に示されるように、パレット支持棚１の四隅に、支柱２、支柱４、支柱６及び支柱８が立設されている。また、パレット支持棚１の前側の左の支支柱２と右の支柱４との間の上部が前側梁部材１０を介して接続され、後側の左の支柱６と右の支柱８との間の上部が後側梁部材１２を介して接続され、パレット支持棚１の左の前側の支柱２と後側の支柱６との間の上部が左側辺梁部材１４を介して接続され、右の前側の支柱４と後側の支柱８との間の上部が右側辺梁部材１６を介して接続されている。さらには、パレット支持棚１の上面にパレットを載置することができるように、前側梁部材１０、後側梁部材１２、左側辺梁部材１４、及び右側辺梁部材１６の間に、複数の補強梁部材２４が井形を形成するように配置されている。
【００１６】
また、パレット支持棚１の後側の左の支柱６と右の支柱８との間の下部が下部梁部材１８を介して接続され、パレット支持棚１の左の前側の支柱２と後側の支柱６との間の下部が下部梁部材２０を介して接続され、パレット支持棚１の右の前側の支柱４と後側の支柱８との間の下部が下部梁部材２２を介して接続されている。一実施例においては、パレット支持棚１の前部枠体３４が、左右の支柱２，４、前側梁部材１０から構成されており、パレット支持棚１の後部枠体２８が、左右の支柱６，８、これらの支柱６，８の間に立つ補強支柱２６、後側梁部材１２、及び下部梁部材１８から構成されている。
【００１７】
図１に示される実施例においては、パレット支持棚１は、支柱６，８の所定の高さ位置に、横方向に並べられた２つの中間回動棚１００を備えている。他の実施例においては、パレット支持棚１は、該パレット支持棚１の支柱のほぼ中間の高さ位置に、１つの中間回動棚１００を備えている。さらに他の実施例においては、パレット支持棚１は、パレット支持棚１の支柱のほぼ中間の高さ位置に、３つ以上の中間回動棚１００を備えている。また、中間回動棚１００が回動可能となるように、中間回動棚１００の左右の後部を構成している後部杆体１０２が、パレット支持棚１の後側の枠体２８における支柱６，８、又は補強支柱２６に設けられた凸状部材３０に遊嵌している。
【００１８】
図１に示される実施例においては、中間回動棚１００は、前部杆体１０１、後部杆体１０２、及び前部杆体１０１と後部杆体１０２とを接続する杆体を有するように構成され、概ね鳥居形の形状に形成されている。他の実施例においては、中間回動棚１００は、鳥居形以外の形状に形成される場合もある。
【００１９】
図２は、中間回動棚１００の回動する動きを示す斜視図である。中間回動棚１００は、回動することにより、概ね垂直に延在する収納位置（図１において奥に示されている中間回動棚の位置）と、概ね水平に延在する使用位置（図１において手前に示されている中間回動棚の位置）との間で変化する。中間回動１００が収納位置から、パレット支持棚１の手前（図２において矢印Ｄで示される方向）に引き倒されて使用位置になると、パレット支持棚１の使用者は、中間回動棚１００の上にパレットや物品を載せることが可能となる。
【００２０】
一実施例においては、パレット支持棚１は、中間回動棚１００の前部杆体１０１の一端（左端又は右端）に、該前部杆体１０１に対して摺動可能に構成された第１のアーム体１０８をさらに備える。例えば、中間回動棚１００の前部杆体１０１の長さ方向（図２において矢印Ｅで示される方向）に沿って摺動可能となるように、前部杆体１０１の一端（左端又は右端）に、入れ子状に第１のアーム体１０８が設けられている。第１のアーム体１０８はさらに、概ね前部杆体１０１の長さ方向に延びる回転軸を中心として、図２において矢印Ｆで示される方向に軸回転できるように構成されているとともに、該第１のアーム体１０８の先端に、中空の接合筒体１０４が取り付けられている。
【００２１】
また、中間回動棚１００の前部杆体１０１の他端（左端又は右端）に、該前部杆体１０１に対して摺動可能に設けられかつ概ね前部杆体１０１の長さ方向に延びている回転軸を中心として軸回転可能に構成された第２のアーム体１０８を備える。さらに、第２のアーム体１０８の先端に、該第２のアーム体１０８の長さ方向と概ね直交する方向に延在する支持ロッド１１０が設けられている。すなわち、支持ロッド１１０は、第２のアーム体１０８を回転軸として図２において矢印Ｆで示される方向に回転することができるように、第２のアーム体１０８に接続されている。
【００２２】
図２に示される実施例においてはさらに、使用者が、支持ロッド１１０を動かすときに、回転可能に構成された支持ロッド１１０を不意に落下させてしまうことを防ぐために、支持ロッド１１０を受け止めることができる位置に、突起状の支持ロッド受け１１４が設けられている。
【００２３】
図３は、第１のアーム体１０８の先端に設けられた接合筒体１０４が、パレット支持棚１の前部枠体３４における支柱２又は支柱４に設けられた支持筒体３２に固定されるまでの過程を示す。中間回動棚１００が手前へ引き倒される動きに連動して、第１のアーム体１０８の一端に設けられた接合筒体１０４が、図３（ａ）において矢印Ａで示される方向へ動く。すると、前側の支柱２又は支柱４に設けられた支持筒体３２の上端面に、接合筒体１０４の一端面が当接し得る。すなわち、中間回動棚１００が概ね水平に延在しているときに、接合筒体１０４の一端面が、支柱２又は支柱４に設けられた支持筒体３２の上端面に支持され得る。
【００２４】
続いて、図３（ｂ）において矢印Ｂで示される方向に、所定のピンＰが接合筒体１０４の内側を貫いて支持筒体３２内まで通されると、図３（ｃ）に示されるように、接合筒体１０４と支持筒体３２とがピンＰを介して接続される。こうして、中間回動棚１００の前部杆体１０１の一端から延在する第１のアーム体１０８が支柱に固定される。
【００２５】
図４は、中間回動棚１００の前部杆体１０１の他端（左端又は右端）から延在する第２のアーム体１０８に設けられた支持ロッド１１０の先端に設けられた筒体１１２が、パレット支持棚１の前側梁部材１０に設けられた凸状部材３６に固定されるまでの過程を示す。最初に、支持ロッド１１０の先端に設けられた筒体１１２が、図４（ａ）において矢印Ｃで示される方向へ動かされると、図４（ｂ）に示されるように、筒体１１２と、パレット支持棚１の前側梁部材１０に設けられた凸状部材３６とが嵌合し、支持ロッド１１０が固定される。
【００２６】
パレット支持棚１の使用者が、中間回動棚１００を使用位置から収納位置へ戻したいときには、図２〜図４に示される操作と逆の操作を行なえばよい。すなわち、使用者が中間回動棚１００の第１及び第２のアーム体１０８を引っ込めて、図２に示される矢印Ｄの方向とは反対の方向へ中間回動棚１００を引き上げることにより、中間回動棚１００は、前部杆体１０１を上方へ向けて概ね垂直に延在するように折り畳まれ、収納位置となる。
【００２７】
一実施例においては、中間回動棚１００が収納位置にあるときに、中間回動棚１００の接合筒体１０４が支柱８に設けられた保持部材３８に保持されるとともに、補強支柱２６に設けられた支持部材４０に支持ロッド１１０の基部が保持されるように構成されている。
【００２８】
本考案の一実施例におけるパレット支持棚１は、支柱のほぼ中間の高さ位置に、回動可能に構成された中間回動棚１００を備えていることにより、複数の物品について二段に分けて保管することができる。さらには、２つの中間回動棚１００が横に並んでいる場合には、横寸法の大きな複数の物品についても二段に分けて保管することを可能にする。
【符号の説明】
【００２９】
１…パレット支持棚
２…支柱
４…支柱
６…支柱
８…支柱
１０…前側梁部材
１２…後側梁部材
１４…左側辺梁部材
１６…右側辺梁部材
１８…下部梁部材
２０…下部梁部材
２２…下部梁部材
２４…補強梁部材
２６…補強支柱
２８…後部枠体
３０…凸状部材
３２…支持筒体
３４…前部枠体
３６…凸状部材
３８…保持部材
４０…支持部材
１００…中間回動棚
１０２…後部杆体
１０４…接合筒体
１０８…アーム体
１１０…支持ロッド
１１２…（第３の）筒体
１１４…支持ロッド受け
Ｐ…ピン
【図１】
0003218949.tif 000003
【図２】
0003218949.tif 000004
【図３】
0003218949.tif 000005
【図４】
0003218949.tif 000006